(57)【特許請求の範囲】
【請求項１】
面戸部を塞ぐために該位置に設置し、漆喰塗布の際の下地材となるものであって、直線状の水準材と、該水準材の直線方向と直交する方向に個々独立的に摺動自在である多数のスライド材、とにより構成され、且つ該多数のスライド材全ての端部付近に挿通孔を設けここに糸を通すことで全スライド材を連結したものであることを特徴とする面戸漆喰塗布下地板。
【請求項２】
スペーサーによって平行に連結された二体一組のものであり該二体の個々は、請求項１に記載されたものである面戸漆喰塗布下地板。
【発明の詳細な説明】
【０００１】
【発明の属する技術分野】
本発明は、瓦葺き屋根の熨斗瓦と平瓦（或いは桟瓦）との間等にできる隙間（面戸）を塞ぐために用いられるものであって、該隙間の形状に自在に追随することで漆喰塗布作業を能率的に行えるようにした面戸漆喰塗布下地板の構造に関するものである。
【０００２】
【従来の技術】
瓦葺き屋根においてその大棟、隅棟、降棟、或いは塗り塀等の棟を構築する際の形態は、現在でも依然として伝統的な在来工法によっているのが実情である。即ち、葺土や漆喰で熨斗瓦を固定しながら順次積み上げ、熨斗瓦と平瓦（又は桟瓦）との間の面戸部分は、面戸瓦（又はそれに代わるもの）で塞ぐという方法である。そして、仕上げには漆喰が採用されている。
【０００３】
【発明が解決しようとする課題】
こうした工法の欠点として、まず作業者に相当の熟練を要することが挙げられる。隙間となる部分に瓦屑等を置き葺土を載せた上でそこに熨斗瓦を被せてゆくという作業は、熨斗瓦の高さや勾配の均等がとりにくく屋根のバランスをくずしたり、防水能力の低下を招く要因ともなる。従って、熟練した技術者が手間を掛けて構築せざるを得ない作業であった。
【０００４】
また、在来工法は棟自体の構造保持を、葺土や漆喰に依存する度合いが高いにもかかわらず葺土や漆喰は、大量の雨で流出するし、地震や凍害で容易に破損落下する、といった問題をはらんでいる。従って、経年劣化はいかんともし難く、補修改修の対象となりやすい箇所となっていた。
【０００５】
更に、面戸瓦を使用する場合をみると、大棟や降棟の場合には棟の方向が一定でるので、瓦形状に差異があるとはいえ面戸の形状が比較的限られており、既製品化もされている。しかし、隅棟の場合には傾斜角度がさまざまであるため、既製品化されている場合はまれで面戸瓦の採用は極めて困難である。従って、葺設作業者が、木製板を切削して面戸板を作り対応しなければならなかった。これが工期を徒に延ばし、コストを挙げる一因となっていた。
【０００６】
【課題を解決するための手段】
そこで本発明者は、上記諸点に鑑み鋭意研究の結果遂に本発明である面戸漆喰塗布下地板を成したものでありその特徴とするところは、面戸部を塞ぐために該位置に設置し、漆喰塗布の際の下地材となるものであって、直線状の水準材と、該水準材の直線方向と直交する方向に個々独立的に摺動自在である多数のスライド材、とにより構成され、且つ該多数のスライド材全ての端部付近に挿通孔を設けここに糸を通すことで全スライド材を連結した点にある。
【０００７】
ここで「漆喰」とは、厳密には「消石灰、貝灰を布海苔、つのまたを煮沸した糊材で練り、浜すさを加えて練ったもの」を指すが、本発明においてはこうした伝統的な漆喰は勿論その代替品を使用するようにしてもよい。なお、本発明はこうした漆喰を塗布するための下地材であり、漆喰自体は必須要素ではない。
【０００８】
面戸部とは本明細書中では、葺設形態の異なる瓦（例えば、大棟であれば棟自体を形成する熨斗瓦と屋根面を構成する平瓦や桟瓦）の間の空隙を指す。面戸部を塞ぐものとして従来より面戸瓦があり、現在も頻繁に使用されている。但し、既述したように面戸部自体の形状はさまざまであるので、形状によって、「かに面戸」「かつお面戸」「降り面戸」等々の種類がある。そして、隅棟における面戸のように屋根面の傾斜角度と採用する瓦の形状によって面戸部の形状がまちまちであるような場合には、面戸瓦を特別にあつらえて製作することは稀で、通常は板を鋸引きした面戸板を嵌め込んで面戸部を塞いでいた。
【０００９】
本発明に係る面戸漆喰塗布下地板は、「水準材」と「スライド材」とにより構成される。「水準材」は、熨斗瓦を載置するための台座として、且つ、次に述べる「スライド材」を保持する保持具として、且つ、該スライド材の摺動方向を規制案内するレールとして機能するものである。「スライド材」は、水準材に取設され、該水準材を直交する方向に摺動する部材であり、一つの水準材に多数設けられている。摺動させるための機構については特に限定するものではない。
また、本発明に係る面戸漆喰塗布下地板を搬送している際や保管中或いは設置作業中にスライド材が抜け落ちることがないように、全てのスライド材の端部付近に挿通孔を設けここに糸を通すことで全スライド材が連結されている。
【００１０】
本発明に係る面戸漆喰塗布下地板は、これを単体で用いても良いが、棟構築の場合、一対を適宜間隔を空けて各水準材同士を連結しておけば、棟構築作業は極めて効率的に進められる。即ち、連結タイプの本発明下地板を棟構築部分に載置すると、瓦の起伏に従う形でスライド材が自動的に（実際には自重や荷重によって）摺動する。次にそのとき上昇したスライド材の上端のうち、水準材から突出している部分を切除してゆく。実際の作業では、この切除作業はほぼ必須のものであるので、スライド材は切除の容易な材質構造であることが望ましい。しかしスライド材はまた、葺土や熨斗瓦等の全荷重を支持することになる部材でもあるので、切削後に補強するなどの工夫を凝らすようにしても良い。棟本体については、水準材の上に葺土を入れながら熨斗瓦を順次積層してゆけばよく、面戸部分はスライド材表面に漆喰を塗布してゆけばよい。内部空間に関しては、状況に応じて適宜対応するものとし、屑瓦を入れる、葺土やモルタルを充填する、或いは空洞のままにしておく、等々種々の方法がある。
【００１１】
【発明の実施の形態】
以下図面に基づき本発明を更に詳細に説明する。
【００１２】
図１は、本発明に係る面戸漆喰塗布下地板１（以下単に「本発明下地材１」という）の一例を示すものであり、図より明らかなように本発明下地材１は多数の上下孔２１を有する水準材２と、各上下孔２１に挿通されたスライド材３とにより構成されている。上下孔２１とスライド材３の大きさの関係は、他からのある程度以上の力を受ければ摺動するが、自重或いは小さな外力では動くことのないというものである。なお図は概略図であり、実際には後述する糸５等を具備するものであるが図示を省略している。
【００１３】
図２（ａ）（ｂ）（ｃ）は、本発明下地材１の使用方法の一例を概略的に示したものであり、まずスライド材３が全て水準材２の下方にあるような状態で施工箇所（図では既に葺設されているのは桟瓦４である）に本発明下地材１をあてがい、施工箇所に垂直な方向に外力を加えることで、スライド材３を摺動させる〔同図（ａ）〕。このとき加える外力は、単に体重をかけて押し込むようにして足りる場合もあるが、木槌などを用いて行なうようにしても良い。そして、水準材２より上方に突出したスライド材３は不要になるので、鋸やカッターナイフで切除する〔同図（ｂ）〕。その後本発明支持材１の外側（露出側）表面に漆喰（又はその代替品）を塗布すれば良いわけであるが、本例の場合スライド材３同士が離反しているので塗布作業が容易ではないとも言える。そこでそうした問題を回避するために、内側（内部空間側）に粘着テープやプラスチック板（特にプラスチック発泡体）等を貼着しておくようにしても良い。これらの貼着体は、漆喰等が固化した後には何ら機能しないものであるので高い耐候性、大きな強度等は求められない。その後熨斗瓦等を葺設して棟構築が完成する〔同図（ｃ）〕。なお本図は、本発明支持体１の構造を明らかにしておくために、当然存在するはずの漆喰を描出していない。従って、実際にはスライド材３或いは水準材２等は外から見えることはない。
【００１４】
また、図示は省略するが施工する部分が長い場合には、本発明下地材１をその長手方向に沿って連結してゆくようにするので水準材３の両端には連結を容易にするための凹凸が設けられている。また、水準材２の上端は、突出したスライド材３が切除されているので平坦になっており、熨斗瓦を載せる際の水準が出しやすい。
【００１５】
次に図３は、本発明下地材１を搬送している際や保管中或いは設置作業中にスライド材３が抜け落ちることがないように、全てのスライド材３の端部付近に挿通孔３１を設けここに糸５を通すことで全スライド材３を連結している状態を示すものである。
【００１６】
図４は、本発明の他の例を示すものであり本例は、二体の本発明下地材１の水準材２同士を一定の長さのスペーサー６で連結したものである。こうした構造とすると、設置する棟等の幅が予め決定されているので本例の本発明下地材１を設置するだけで熨斗瓦載置までの作業のほとんどが完了することになり、特別な技術を要することなく迅速に作業を進めることができる。また、スペーサー６によって支えられることになるので、各本発明下地材１はそれぞれ自立することになり他の部材によって支持してやる必要がない。
【００１７】
【発明の効果】
以上説明したように本発明に係る面戸漆喰塗布下地板は、面戸部を塞ぐために該位置に設置し、漆喰塗布の際の下地材となるものであって、直線状の水準材と、該水準材の直線方向と直交する方向に個々独立的に摺動自在である多数のスライド材、とにより構成され、且つ該多数のスライド材全ての端部付近に挿通孔を設けここに糸を通すことで全スライド材を連結したものであることを特徴とするものであり以下述べる如き種々の効果を有する極めて高度な発明である。
【００１８】
（１） 面戸部を塞ぐものを切削によって製作する必要がない。
（２） 面戸形状がどのようであっても自在に対応できる。
（３） 熨斗瓦設置の際の水準が出しやすい。
（４） 棟構築作業が簡便となるため、工期短縮が容易となり、また熟練者を必要としなくなる。
（５）  スライド材全ての端部付近に挿通孔を設けここに糸を通すことで全スライド材を連結したものであるので、本発明下地材を搬送している際や保管中或いは設置作業中にスライド材が抜け落ちることがない。
【図面の簡単な説明】
【図１】  本発明に係る面戸漆喰塗布下地板の一例を示す概略斜視図である。
【図２】  （ａ）（ｂ）（ｃ）は、本発明に係る面戸漆喰塗布下地板の使用方法の一例を概略的経時的に示す側面図である。
【図３】 本発明に係る面戸漆喰塗布下地板の、スライド材の連結形態を示す概略斜視図である。
【図４】  本発明に係る面戸漆喰塗布下地板の他の例を示す概略斜視図である。
【符号の説明】
１    本発明に係る面戸漆喰塗布下地板
２    水準材
２１  上下孔
３    スライド材
３１  挿通孔
４    桟瓦
５    糸
６    スペーサー
【図１】
0003934301.tif 000002
【図２】
0003934301.tif 000003
【図３】
0003934301.tif 000004
【図４】
0003934301.tif 000005